(57)【要約】【課題】複数のフォルダに所属している電子メールが所属するフォルダを容易に得て、例えば、その電子メールが所属するフォルダを変更する。【解決手段】  電子メールをフォルダからフォルダへ移動させる際、移動元のフォルダを選択、入力し（ステップＳ２０３）、そのフォルダへの所属を削除し（ステップＳ２０４）、移動先のフォルダを選択、入力し（ステップＳ３０３）、そのフォルダへ所属させる（ステップＳ３０４）。【選択図】図２３
2009087078.tif 000002
【特許請求の範囲】
【請求項１】
入力手段と、
表示手段と、
フォルダを識別するフォルダ識別情報と、そのフォルダに所属する電子メールを識別する電子メール識別情報とを関連付けて記憶するフォルダ記憶手段と、
電子メールと、その電子メールを識別する電子メール識別情報と、その電子メールが所属するフォルダを識別するフォルダ識別情報とを関連付けて記憶する電子メール記憶手段と、
前記入力手段によって選択されたフォルダと関連付けられて前記フォルダ記憶手段に記憶された電子メール識別情報によって識別される電子メールを前記表示手段に表示させ、その表示された電子メールの中で前記入力手段によって選択された電子メールと関連付けられたフォルダを前記表示手段に表示させる電子メール処理手段と
を有することを特徴とする通信端末装置。
【請求項２】
入力手段と、
表示手段と、
フォルダを識別するフォルダ識別情報と、そのフォルダに所属する電子メールを識別する電子メール識別情報とを関連付けて記憶するフォルダ記憶手段と、
電子メールと、その電子メールを識別する電子メール識別情報と、その電子メールが所属するフォルダを識別するフォルダ識別情報とを関連付けて記憶する電子メール記憶手段と、
前記入力手段によって選択された電子メールと関連付けられたフォルダを前記表示手段に表示させ、その表示されたフォルダの中で前記入力手段によって選択されたフォルダと、前記選択された電子メールとの所属関係を削除して前記フォルダ記憶手段と、前記電子メール記憶手段とに更新記憶させる電子メール処理手段と
を有することを特徴とする通信端末装置。
【請求項３】
入力手段と、
表示手段と、
フォルダを識別するフォルダ識別情報と、そのフォルダに所属する電子メールを識別する電子メール識別情報とを関連付けて記憶するフォルダ記憶手段と、
電子メールと、その電子メールを識別する電子メール識別情報と、その電子メールが所属するフォルダを識別するフォルダ識別情報とを関連付けて記憶する電子メール記憶手段と、
前記入力手段によって選択されたフォルダと関連付けられた電子メールを前記表示手段に表示させ、その表示された電子メールの中で前記入力手段によって選択された電子メールと、前記選択されたフォルダとの所属関係を削除して前記フォルダ記憶手段と、前記電子メール記憶手段とに更新記憶させる電子メール処理手段と
を有することを特徴とする通信端末装置。
【請求項４】
入力手段と、
表示手段と、
フォルダを識別するフォルダ識別情報と、そのフォルダに所属する電子メールを識別する電子メール識別情報とを関連付けて記憶するフォルダ記憶手段と、
電子メールと、その電子メールを識別する電子メール識別情報と、その電子メールが所属するフォルダを識別するフォルダ識別情報とを関連付けて記憶する電子メール記憶手段と、
前記フォルダ記憶手段に記憶されたフォルダ識別情報であり、かつ、前記入力手段によって選択された電子メールと関連付けられていないフォルダを前記表示手段に表示させ、その表示されたフォルダの中で前記入力手段によって選択されたフォルダと、前記選択された電子メールとの所属関係を追加して前記フォルダ記憶手段と、前記電子メール記憶手段とに更新記憶させる電子メール処理手段と
を有することを特徴とする通信端末装置。
【請求項５】
入力手段と、
表示手段と、
フォルダを識別するフォルダ識別情報と、そのフォルダに所属する電子メールを識別する電子メール識別情報とを関連付けて記憶するフォルダ記憶手段と、
電子メールと、その電子メールを識別する電子メール識別情報と、その電子メールが所属するフォルダを識別するフォルダ識別情報とを関連付けて記憶する電子メール記憶手段と、
前記入力手段によって選択された電子メールと関連付けられたフォルダと、前記フォルダ記憶手段に記憶されたフォルダ識別情報に対応するフォルダであり、かつ、前記入力手段によって選択された電子メールと関連付けられていないフォルダとを前記表示手段に表示させ、その表示された前記電子メールと関連付けられたフォルダの中で前記入力手段によって選択されたフォルダと、前記選択された電子メールとの所属関係を削除し、その表示された前記電子メールと関連付けられていないフォルダの中で前記入力手段によって選択されたフォルダと、前記選択された電子メールとの所属関係を追加して前記フォルダ記憶手段と、前記電子メール記憶手段とに更新記憶させる電子メール処理手段と
を有することを特徴とする通信端末装置。
【請求項６】
入力手段と、
表示手段と、
フォルダを識別するフォルダ識別情報と、そのフォルダに所属する電子メールを識別する電子メール識別情報とを関連付けて記憶するフォルダ記憶手段と、
電子メールと、その電子メールを識別する電子メール識別情報と、その電子メールが所属するフォルダを識別するフォルダ識別情報とを関連付けて記憶する電子メール記憶手段と、
前記入力手段によって選択されたフォルダと関連付けられた電子メールを前記表示手段に表示させ、その表示された電子メールの中で前記入力手段によって選択された電子メールと、前記選択されたフォルダとの所属関係を削除し、前記フォルダ記憶手段に記憶されたフォルダ識別情報に対応するフォルダであり、かつ、前記選択された電子メールと関連付けられていないフォルダを前記表示手段に表示させ、その表示されたフォルダの中で前記入力手段によって選択されたフォルダと、前記選択された電子メールとの所属関係を追加して前記フォルダ記憶手段と、前記電子メール記憶手段とに更新記憶させる電子メール処理手段と
を有することを特徴とする通信端末装置。
【発明の詳細な説明】
【技術分野】
【０００１】
本発明は、通信端末装置に係り、特に、電子メールをフォルダに所属させる処理に関する。
【背景技術】
【０００２】
電子メールの送受信を行う通信端末装置、例えば、移動通信端末装置は、記憶された電子メールを複数のフォルダのうち幾つかのフォルダに所属させる処理が知られている。ある電子メールが所属するフォルダは、使用者の操作によって選択されても良く、また、その電子メールの解析、例えば、その電子メールに所定のキーワードが含まれるか否かの解析によって、装置が選択しても良い。フォルダには、そのフォルダに所属している電子メールを識別する情報が記憶される。
【０００３】
この処理によって、装置の使用者は、まずフォルダを選択し、選択されたフォルダに所属している電子メールを識別する情報の一覧を参照し、所望の電子メールを選択することができる。そこで、多くの電子メールの中から所望の電子メールへ容易にアクセスすることができる。電子メールを複数のフォルダの１つ、または複数に所属させる処理は、装置が受信した電子メールと、装置が送信するまたは送信した電子メールとのいずれか一方に適用されても良く、また、両方に適用されても良い。
【０００４】
複数のフォルダに所属している電子メールを削除する場合、その電子メールそのものを削除することに併せて、その電子メールが所属する全てのフォルダに記憶された、その電子メールを識別する情報を削除することが知られている（例えば、特許文献１参照。）。
【０００５】
また、電子メールは、１つのフォルダに所属するとし、メールが所属するフォルダは、変更可能とする。そして、電子メールの所定の性質、例えば、その電子メールは、対応処理が必要な内容が含まれているか否かによって、その電子メールは、上記のフォルダに併せて仮想的なフォルダに所属する、または所属しないとして管理する処理が知られている。その電子メールへの対応処理が終了した場合、装置は、その電子メールを削除し、または、その電子メールは削除せず、仮想的なフォルダに所属しないとする（例えば、特許文献２参照。）。
【特許文献１】特開２００５−２０２５９８号公報（第８頁、図９）
【特許文献２】特開２００５−２８４４７５号公報（第１６−１７頁、図９、図１３）
【発明の開示】
【発明が解決しようとする課題】
【０００６】
しかしながら、上述した特許文献１に開示されている方法では、電子メールが所属するフォルダを容易に得ることが考えられていない問題点があった。この電子メールが所属するフォルダは、例えば、電子メールが所属するフォルダを変更する際に必要となる。
【０００７】
また、上述した特許文献２に開示されている方法では、電子メールを複数のフォルダに所属させる際の処理が考えられていない問題点があった。即ち、電子メールが複数のフォルダに所属するように表示させる処理は可能であるにしても、１つの実フォルダ（仮想的なフォルダでないフォルダ。）と、１つの仮想的なフォルダとに所属するように表示させるのみであって、複数の実フォルダに所属させることは考えられていない。
【０００８】
本発明は、上記問題点を解決するためになされたもので、複数のフォルダに所属している電子メールが所属するフォルダを容易に得ることができる通信端末装置を提供することを目的とする。
【課題を解決するための手段】
【０００９】
上記目的を達成するために、本発明の通信端末装置は、入力手段と、表示手段と、フォルダを識別するフォルダ識別情報と、そのフォルダに所属する電子メールを識別する電子メール識別情報とを関連付けて記憶するフォルダ記憶手段と、電子メールと、その電子メールを識別する電子メール識別情報と、その電子メールが所属するフォルダを識別するフォルダ識別情報とを関連付けて記憶する電子メール記憶手段と、前記入力手段によって選択されたフォルダと関連付けられて前記フォルダ記憶手段に記憶された電子メール識別情報によって識別される電子メールを前記表示手段に表示させ、その表示された電子メールの中で前記入力手段によって選択された電子メールと関連付けられたフォルダを前記表示手段に表示させる電子メール処理手段とを有することを特徴とする。
【発明の効果】
【００１０】
本発明によれば、複数のフォルダに所属している電子メールが所属するフォルダを容易に得ることができる。
【発明を実施するための最良の形態】
【００１１】
以下に、本発明による通信端末装置の実施の形態を、図面を参照して説明する。図１は、本発明の実施形態に係わる通信端末装置が適用された移動通信端末装置の構成を示すブロック図である。
【００１２】
この移動通信端末装置は、装置全体の制御を行う制御部１１と、基地局（図示せず）との間で電波の送受を行うアンテナ１２ａと、通信部１２ｂと、送受信部１３と、受話音声発生用のスピーカ１４ａと、送話音声入力用のマイクロフォン１４ｂと、通話部１４ｃと、表示部１５と、入力装置１６とを備える。
【００１３】
この移動通信端末装置は、更に、電子メール送受信部２１と、電子メール記憶部２２と、フォルダ記憶部２３とを備える。電子メール記憶部２２には、電子メール管理情報２２ａと、所属フォルダ情報２２ｂと、電子メール実体２２ｃとが記憶される。フォルダ記憶部２３には、フォルダ管理情報２３ａと、所属電子メール情報２３ｂとが記憶される。
【００１４】
上記のように構成された、本発明の実施形態に係る移動通信端末装置の各部の動作を図１を参照して説明する。通信部１２ｂは、アンテナ１２ａによって受信された高周波信号を送受信部１３へ出力し、また、送受信部１３から出力された高周波信号をアンテナ１２ａより送信する。
【００１５】
送受信部１３は、通信部１２ｂからの高周波信号を増幅、周波数変換及び復調し、それによってデジタル信号を得て、得られた通話音声信号を通話部１４ｃに、着信信号を含む制御信号を制御部１１に、電子メールを電子メール送受信部２１に送る。
【００１６】
更には、送受信部１３は、デジタル信号、即ち、通話部１４ｃから出力された通話音声信号、制御部１１から出力された制御信号、及び電子メール送受信部２１から出力された電子メールを変調、周波数変換及び増幅し、高周波信号を得て、それを通信部１２ｂに送って送信させる。
【００１７】
通話部１４ｃは、送受信部１３から出力されたデジタル音声信号をアナログ音声信号に変換し、それを増幅してスピーカ１４ａに送る。また、マイクロフォン１４ｂから出力されたアナログ音声信号を増幅し、それをデジタル音声信号に変換して送受信部１３に送信する。
【００１８】
表示部１５は、例えば、ＬＣＤであり、制御部１１に制御されることで、文字・数字や映像データの表示動作を行い、表示されているデータは、入力装置１６からの入力操作や着信信号に応答して制御部１１からの指示を受けることで切換わる。
【００１９】
入力装置１６は、通信相手の電話番号などを指定するため、また、送信される電子メールを作成するための数字キーと複数の機能キーを含むキーからなる。そして、入力装置１６のキーが操作されると、そのキーの識別子が制御部１１に通知され、制御部１１によって、表示部１５に文字として表示され、または、制御が行われる。
【００２０】
電子メール送受信部２１は、電子メールの送受信を行う処理部であり、入力装置１６の所定のキー操作により、制御部１１からの指示によって、電子メールの送信動作を開始する。即ち、入力装置１６から送信されたキーの識別子に従って、電子メールの宛先メールアドレスと、本文データとからなる電子メールを作成する。そして、作成された電子メールを送受信部１３に送信させる。この電子メールは、通信部１２ｂ、アンテナ１２ａ、基地局を介してメールサーバ装置（図示せず）に送信される。
【００２１】
また、電子メール送受信部２１は、電子メール着信信号が受信されることを契機とした制御部１１からの指示によって、メールサーバ装置から送信され、送受信部１３によって受信された電子メールを受信する。そして、受信された電子メールの件名（Subject）を含むヘッダ及び／または本文に所定のキーワードが含まれているか否かを判断することによって、その電子メールが所属するフォルダを決定する。例えば、件名に「至急」なるキーワードが含まれていれば、「重要」なる名称のフォルダに所属させる。このキーワードに基づいて決定されるフォルダの数は、０以上の自然数である。
【００２２】
そして、電子メール送受信部２１は、受信された電子メールの実体、即ち、ヘッダ及び本文、更には、添付ファイルを電子メール記憶部２２に記憶させる。更に、その電子メールがいずれのフォルダに所属するかに関する情報を電子メール記憶部２２に記憶させる。なお、その電子メールが所属するフォルダが所定のキーワードが含まれているか否かによって決定されなかった場合、その電子メールをキーワードによってフォルダが決定されなかった電子メールが所属されるフォルダに所属すると決定する。
【００２３】
上記に加えて、電子メール送受信部２１は、受信された電子メールの全てを特定の１つのフォルダに併せて所属させる。言い換えると、このフォルダには、受信された全ての電子メールが所属される。
【００２４】
また、電子メール送受信部２１は、入力装置１６の所定のキー操作に従って、フォルダを作成し、また、フォルダを削除する。そして、作成されたフォルダの名称をフォルダ記憶部２３に記憶させる。また、電子メールをフォルダに所属させた場合、そのフォルダに所属している電子メールに関わる情報をフォルダ記憶部２３に記憶させる。
【００２５】
また、電子メール送受信部２１は、入力装置１６の所定のキー操作による制御部１１からの指示によって、フォルダ記憶部２３に記憶されたフォルダの名称を表示部１５に表示させる。更に、入力装置１６の所定のキー操作によって表示されたフォルダの名称の中の１つが選択されると、フォルダ記憶部２３及び電子メール記憶部２２を参照して、選択された名称であるフォルダに所属している電子メールを識別する情報の一覧を表示部１５に表示させる。
【００２６】
そして、電子メール送受信部２１は、入力装置１６の所定のキー操作によって表示された上記識別する情報の一覧の中の１つが選択されると、電子メール記憶部２２を参照して選択された識別する情報によって識別される電子メールを表示部１５に表示させる。
【００２７】
更に、電子メール送受信部２１は、入力装置１６の所定のキー操作に従って、表示された電子メールを削除し、その電子メールの所定のフォルダへの所属を削除し（以後、電子メールのフォルダからの削除と称する。）、その電子メールを所定のフォルダに所属させ（以後、電子メールのフォルダへの追加と称する。）、また、その電子メールが所属するフォルダを変更する（以後、電子メールの移動と称する。）。
【００２８】
以下、本発明の実施形態に係わる移動通信端末装置の電子メール送受信部２１による、受信された電子メールを複数のフォルダに所属させて管理する処理を説明する。
【００２９】
図２は、電子メール記憶部２２に記憶される電子メール管理情報２２ａの構成の一例を示す。この電子メール管理情報２２ａは、個別電子メール管理情報２２ｄと、所属フォルダ識別子列識別子２２ｅと、電子メール実体識別子２２ｆとが関連付けられた情報からなり、１組の関連付けられた情報が個別電子メールの管理情報である。個別電子メール管理情報２２ｄには、電子メール識別子２２ｇと、未読情報２２ｈとが含まれる。
【００３０】
なお、図２では、個別電子メール管理情報２２ｄと、所属フォルダ識別子列識別子２２ｅと、電子メール実体識別子２２ｆとが連続して記憶され、かつ、関連付けられた情報が連続して記憶されるように図示したが、これは理解を容易にするためであって、これに限るものではない。例えば、離散して記憶され、離散した部分の間をポインターで結ぶ構成としても良い。
【００３１】
電子メール識別子２２ｇは、電子メール記憶部２２に記憶された個別電子メールを一意に識別する情報であって、電子メール送受信部２１によって適宜決定された情報である。未読情報２２ｈは、電子メール識別子２２ｇによって識別される電子メールの本文が、一部または全部を問わず、表示部１５に表示されたことがあるか否かを示す情報であって、表示されたことがある場合には「既読」、表示されたことがない場合には「未読」なる情報である。
【００３２】
なお、個別電子メール管理情報２２ｄには、更に、電子メール識別子２２ｇによって識別される電子メールのヘッダの一部、例えば、件名、送信アドレス、送信者、発信日時、メールサーバ装置によって受信された日時などが含まれるとしても良い。また、その電子メールが受信された日時が含まれるとしても良い。更に、その電子メールが所属するフォルダの数が含まれるとしても良い。
【００３３】
所属フォルダ識別子列識別子２２ｅは、電子メール識別子２２ｇによって識別される電子メールが所属する１つ、または複数のフォルダの識別子の列を識別する情報である。この情報によって、電子メールとフォルダとの所属関係の一面、即ち、ある電子メールがどのフォルダに所属しているかが記憶される。
【００３４】
この実施形態では、所属フォルダ識別子列識別子２２ｅは、所属フォルダ情報２２ｂの所定の位置を指すポインターであるとするが、これに限るものではない。例えば、所属フォルダ情報２２ｂ内で何番目の識別子の列であるかを示す自然数であっても良い。更には、所属フォルダ識別子列識別子２２ｅは、上記１つまたは複数のフォルダの識別子であっても良い。
【００３５】
更に、電子メール識別子２２ｇによって識別される電子メールと、フォルダとの所属関係は、一方の識別情報が縦軸に、他方の識別情報が横軸に対応する２次元のビットマップによって表されても良い。即ち、例えば、対応するビットが１であれば所属し、０であれば所属しないとする。また、両者の識別情報をハッシュ関数の入力とし、そのハッシュ関数の出力によって所属関係が表されるとしても良い。即ち、例えば、その関数の出力が１であれば所属し、０であれば所属しないとする。これらのビットマップによる構成や、ハッシュ関数による構成は、電子メールの数と、フォルダの数とに上限がある場合、特に、その上限が少数の場合、有効である。
【００３６】
電子メール実体識別子２２ｆは、電子メール識別子２２ｇによって識別される電子メールの実体を識別する情報である。この実施形態では、電子メール実体識別子２２ｆは、電子メール実体２２ｃの所定の位置を指すポインターであるとするが、これに限るものではない。例えば、電子メール実体２２ｃ内で何番目の電子メールであるかを示す自然数であっても良い。更には、電子メール実体識別子２２ｆは、電子メール識別子２２ｇによって識別される電子メールの実体であっても良い。
【００３７】
図３は、電子メール記憶部２２に記憶される所属フォルダ情報２２ｂの構成の一例を示す。この所属フォルダ情報２２ｂは、個別電子メールが所属するフォルダのフォルダ識別子列からなる。フォルダ識別子列は、１つまたは任意個の複数のフォルダ識別子からなる。
【００３８】
そして、図３は、図２に示す電子メール識別子２２ｇが「Ｍ１」である電子メールの所属フォルダ識別子列識別子２２ｅである「ＭＦ１」が指す個別電子メールが所属するフォルダのフォルダ識別子列２２ｉの詳細を示す。個別電子メールが所属するフォルダのフォルダ識別子列２２ｉは、第１のフォルダ識別子〜第３のフォルダ識別子が連結されてなる。フォルダ識別子については後述する。
【００３９】
なお、図３では、個別電子メールが所属するフォルダのフォルダ識別子列２２ｉは、１つ、または複数のフォルダ識別子が連結されてなるとしたが、これに限るものではない。例えば、フォルダ識別子を要素とする配列であっても良い。要するに、電子メール識別子２２ｇによって識別される電子メールが所属しているフォルダを容易に得ることができれば良い。
【００４０】
図４は、電子メール記憶部２２に記憶される電子メール実体２２ｃの構成の一例を示す。この電子メール実体２２ｃは、個別電子メールの電子メール実体からなる。そして、図４は、図２に示す電子メール識別子２２ｇが「Ｍ１」である電子メールの電子メール実体識別子２２ｆである「ＭＭ１」が指す個別電子メールの電子メール実体２２ｊを示す。
【００４１】
図５は、フォルダ記憶部２３に記憶されるフォルダ管理情報２３ａの構成の一例を示す。このフォルダ管理情報２３ａは、個別フォルダ管理情報２３ｃと、所属電子メール識別子列識別子２３ｄとが関連付けられた情報からなり、１組の関連付けられた情報が個別フォルダの管理情報である。個別フォルダ管理情報２３ｃは、フォルダ識別子２３ｅと、フォルダ名称２３ｆとを含む。
【００４２】
なお、図５では、個別フォルダ管理情報２３ｃと、所属電子メール識別子列識別子２３ｄとが連続して記憶され、かつ、関連付けられた情報が連続して記憶されるように図示したが、これは理解を容易にするためであって、これに限るものではない。例えば、離散して記憶され、離散した部分の間をポインターで結ぶ構成としても良い。
【００４３】
フォルダ識別子２３ｅは、フォルダを一意に識別する情報であって、電子メール送受信部２１によって適宜決定された情報である。フォルダ名称２３ｆは、フォルダの名称であって、フォルダ名称２３ｆによってもフォルダは一意に識別される。そこで、フォルダ管理情報２３ａは、フォルダ識別子２３ｅを有しない構成としても良い。
【００４４】
所属電子メール識別子列識別子２３ｄは、フォルダ識別子２３ｅによって識別されるフォルダに所属している電子メールの電子メール識別子２２ｇの列を識別する情報である。この情報によって、電子メールとフォルダとの所属関係の一面、即ち、あるフォルダにどの電子メールが所属しているかが記憶される。
【００４５】
なお、個別フォルダ管理情報２３ｃには、更に、そのフォルダが作成された日時、そのフォルダに所属している電子メールの数、そのフォルダに所属している電子メールの記憶に用いられている電子メール記憶部２２の記憶容量などが含まれるとしても良い。
【００４６】
この実施形態では、所属電子メール識別子列識別子２３ｄは、所属電子メール情報２３ｂの所定の位置を指すポインターであるとするが、これに限るものではない。例えば、所属電子メール情報２３ｂ内で何番目の識別子の列であるかを示す自然数であっても良い。更には、所属電子メール識別子列識別子２３ｄは、１つまたは複数の電子メール識別子２２ｇであっても良い。
【００４７】
更に、フォルダ識別子２３ｅによって識別されるフォルダと、電子メールとの所属関係は、一方の識別情報が縦軸に、他方の識別情報が横軸に対応する２次元のビットマップによって表されても良い。即ち、例えば、対応するビットが１であれば所属し、０であれば所属しないとする。また、両者の識別情報をハッシュ関数の入力とし、そのハッシュ関数の出力によって所属関係が表されるとしても良い。即ち、例えば、その関数の出力が１であれば所属し、０であれば所属しないとする。これらのビットマップによる構成や、ハッシュ関数による構成は、電子メールの数と、フォルダの数とに上限がある場合、特に、その上限が少数の場合、有効である。
【００４８】
なお、図５で、フォルダ識別子２３ｅが「Ｆ９」、かつ、フォルダ名称２３ｆが「全受信電子メール」であるフォルダは、既に説明した、受信された全ての電子メールが所属するフォルダである。また、フォルダ識別子２３ｅが「Ｆ１０」、かつ、フォルダ名称２３ｆが「未分類受信電子メール」であるフォルダは、既に説明した、所定のキーワードが含まれているか否かによって所属するフォルダが決定されなかった電子メールが所属するフォルダである。
【００４９】
図６は、フォルダ記憶部２３に記憶される所属電子メール情報２３ｂの構成の一例を示す。この所属電子メール情報２３ｂは、個別フォルダに所属する電子メールの電子メール識別子列からなる。電子メール識別子列は、電子メール識別子２２ｇを要素とする配列である。
【００５０】
そして、図６は、図５に示すフォルダ識別子２３ｅが「Ｆ１」であるフォルダに関連付けられた所属電子メール識別子列識別子２３ｄである「ＦＭ１」が指す個別フォルダに所属する電子メールの電子メール識別子列２３ｇの詳細を示す。この個別フォルダに所属する電子メールの電子メール識別子列２３ｇは、第１の電子メール識別子、第２の電子メール識別子、…、第ｐの電子メール識別子を要素とする配列である。第１の電子メール識別子〜第ｐの電子メール識別子は、いずれも電子メール識別子２２ｇである。
【００５１】
なお、図６では、個別フォルダに所属する電子メールの電子メール識別子列は、電子メール識別子２２ｇを要素とする配列であるとしたが、これに限るものではない。例えば、電子メール識別子２２ｇが連結された構造であっても良い。要するに、フォルダ識別子２３ｅによって識別されるフォルダに所属している電子メールを容易に得ることができれば良い。
【００５２】
ここで、以後の説明で用いる電子メールがフォルダに所属している状況の一例を説明する。図７は、その所属の一例を示し、電子メール実体３１が、フォルダ名称２３ｆが「全受信電子メール」なるフォルダ４１と、フォルダ名称２３ｆが「会社」なるフォルダ４２と、フォルダ名称２３ｆが「重要」なるフォルダ４３と、フォルダ名称２３ｆが「Ａプロジェクト」なるフォルダ４４とに所属している状況である。
【００５３】
電子メール実体３１と、フォルダ４１〜４４とは、両方向に矢印が付された線で結ばれていることは、電子メール実体３１から、電子メール実体３１が所属しているフォルダ４１〜４４を得ることが容易にでき、また、フォルダ４１〜４４から、それらのフォルダ４１〜４４に電子メール実体３１が所属していることを容易に得ることができることを意味している。
【００５４】
ここで、電子メール実体３１が、例えば、フォルダ名称２３ｆが「全受信電子メール」なるフォルダ４１に所属していることは、電子メール実体３１の電子メール識別子２２ｇを検索キーに電子メール管理情報２２ａを検索し、得られた所属フォルダ識別子列識別子２２ｅが指す識別子列には、フォルダ名称２３ｆが「全受信電子メール」なるフォルダ４１のフォルダ識別子２３ｅが含まれていることを意味する。
【００５５】
また、例えば、フォルダ名称２３ｆが「全受信電子メール」なるフォルダ４１に電子メール実体３１が所属していることは、フォルダ名称２３ｆが「全受信電子メール」なるフォルダをフォルダ管理情報２３ａから検索し、得られたフォルダの所属電子メール識別子列識別子２３ｄが指す識別子列には、電子メール実体３１を識別する電子メール識別子２２ｇが含まれていることを意味する。
【００５６】
図８は、電子メール送受信部２１が電子メールを表示し、削除し、また、その電子メールが所属するフォルダを変更する動作のフローチャートを示す。電子メール送受信部２１は、入力装置１６の所定のキー操作に従った制御部１１からの指示によって、電子メールを表示し、削除し、また、その電子メールが所属するフォルダを変更する動作を開始する（ステップＳ１０１）。
【００５７】
電子メール送受信部２１は、まず、フォルダの名称を表示部１５に一覧表示させる。なお、この段階では、全てのフォルダの名称、即ち、全てのフォルダ名称２３ｆを一覧表示させる（ステップＳ１０２）。なお、表示部１５の表示画面の大きさの制約のため、全てのフォルダ名称２３ｆを一覧表示させることができない場合、その一部を表示し、入力装置１６の所定のスクロールキー操作に従って、表示をスクロールする。
【００５８】
この一覧表示の際の表示順は、任意であるが、電子メール送受信部２１は、特殊なフォルダの名称である「全受信電子メール」及び「未分類受信電子メール」は、冒頭に表示し、または、末尾に表示することが望ましい。または、表示形態を変えて、例えば、表示色を変えて表示することが望ましい。
【００５９】
その他のフォルダは、例えば、フォルダ名称２３ｆを示す文字列の文字コードのソート順による。また、そのフォルダが作成された日時の順、そのフォルダに所属している電子メールの数の多少の順、また、そのフォルダに所属している電子メールの記憶に用いられている電子メール記憶部２２の記憶容量の順によっても良い。
【００６０】
図７に示す電子メールがフォルダに所属している状況の一例において、この段階で、即ち、電子メール送受信部２１が動作を開始した直後に、ステップＳ１０２の動作によって表示部１５にフォルダの名称が表示された一例を図９に示す。表示部１５の上部には、「フォルダ一覧」なる標題１５ａが表示されている。
【００６１】
そして、「全受信電子メール」、「未分類受信電子メール」、「会社」、「重要」、「予算」及び「出張」なるフォルダ名称２３ｆからなるフォルダ名一覧１５ｂが表示されている。これらの表示の順は、「全受信電子メール」及び「未分類受信電子メール」を冒頭に、そして、その他は、作成日時の順である。
【００６２】
また、これらのフォルダ名称２３ｆの表示の下に、下向き矢印が表示されている。この矢印は、表示されていないフォルダの名称があり、表示の下向きスクロールによって、それらの名称が表示されることを示す。下向きスクロールは、入力装置１６の所定のスクロールキーの操作による。
【００６３】
図８に示すフローチャートを参照した電子メール送受信部２１の動作説明に戻る。続いて、電子メール送受信部２１は、入力装置１６の所定のキー操作、例えばスクロールキー操作に従って、表示されたフォルダ名称２３ｆの中の１つを、例えば、その１つにカーソル位置を移動し、更に、入力装置１６の所定のキー操作によって、操作の対象となるフォルダの選択と、そのフォルダに対する指示を入力する（ステップＳ１０３）。
【００６４】
ここで、電子メール送受信部２１は、カーソル位置が移動されたフォルダ名称２３ｆを異なる表示形態によって、例えば、異なる背景色を施して表示する。また、ステップＳ１０３の動作によって操作の対象として選択されたフォルダを、以後、カレントフォルダを称する。
【００６５】
入力された指示を調べ（ステップＳ１０４）、その指示が削除である場合、電子メール送受信部２１は、カレントフォルダを削除する（ステップＳ１０５）。なお、カレントフォルダのフォルダ名称２３ｆが「全受信電子メール」または「未分類受信電子メール」である場合、電子メール送受信部２１は、削除指示を入力しない（図示せず）。なお、このカレントフォルダを削除する動作の際、ステップＳ１０３で、カレントフォルダとして、複数のフォルダが選択されても良い。
【００６６】
カレントフォルダの削除は、次のように行われる。即ち、電子メール送受信部２１は、まず、カレントフォルダのフォルダ識別子２３ｅと関連付けられて記憶された所属電子メール識別子列識別子２３ｄによって指された電子メール識別子２２ｇを得る。得られた全ての電子メール識別子２２ｇを対象に、その電子メール識別子２２ｇを検索キーに電子メール管理情報２２ａを検索する。
【００６７】
そして、電子メール送受信部２１は、電子メール識別子２２ｇと関連付けられて記憶された所属フォルダ識別子列識別子２２ｅが指すフォルダ識別子２３ｅの列の中から、カレントフォルダのフォルダ識別子２３ｅを削除する。次に、電子メール送受信部２１は、カレントフォルダのフォルダ識別子２３ｅで識別される関連付けられた１組の情報をフォルダ管理情報２３ａから削除する。
【００６８】
このカレントフォルダの削除にあたり、電子メール送受信部２１は、カレントフォルダを削除した後、フォルダ名称２３ｆが「全受信電子メール」にのみ所属することとなる電子メールがある場合、その旨の警告メッセージを表示部１５に表示させても良い。更に、その表示に対応して入力装置１６から入力された指示に従って、カレントフォルダを削除せず、カレントフォルダには、上記の電子メールのみを所属させるとしても良い。
【００６９】
なぜなら、フォルダ名称２３ｆが「全受信電子メール」には、多数の電子メールが所属し、そのフォルダから所望の電子メールへアクセスするために長時間を要することもあり、使用者の利便性を損なう可能性があるためである。
【００７０】
図７に示す電子メールがフォルダに所属している状況の一例において、フォルダ名称２３ｆが「Ａプロジェクト」なるフォルダ４４がカレントフォルダであり、このカレントフォルダが削除された後、電子メールがフォルダに所属している新たな状況を図１０に示す。図１０に示す新たな状況では、フォルダ名称２３ｆが「Ａプロジェクト」なるフォルダ４４が削除され、電子メール実体３１と、フォルダ４４との所属関係はない。
【００７１】
このようなフォルダの削除は、例えば、以下のような状況で有用である。即ち、Ａプロジェクトが実施中は、Ａプロジェクトに関係する電子メールをＡプロジェクトの有無に係らない所定のフォルダに所属させるだけでなく、更に、フォルダ名称２３ｆが「Ａプロジェクト」なるフォルダにも所属させることによって、Ａプロジェクトに関わる電子メールを一覧表示可能にし、容易にアクセス可能にしていた。そして、Ａプロジェクトの終了後、Ａプロジェクトに関わる電子メールを一覧表示する必要がないので、フォルダ名称２３ｆが「Ａプロジェクト」なるフォルダを削除する。しかし、この削除によって、電子メールが削除されることはない。
【００７２】
図８に示すフローチャートを参照した電子メール送受信部２１の動作説明に戻る。カレントフォルダの削除の後、電子メール送受信部２１は、ステップＳ１０２のフォルダ名称２３ｆを表示部１５に一覧表示させる動作に移る。
【００７３】
ステップＳ１０４で、入力された指示がメールの一覧表示である場合、電子メール送受信部２１は、カレントフォルダに所属している電子メールを識別する情報を表示部１５に一覧表示させる（ステップＳ１０６）。カレントフォルダに所属している電子メールは、カレントフォルダのフォルダ名称２３ｆを検索キーにフォルダ管理情報２３ａを検索し、検索された所属電子メール識別子列識別子２３ｄが指す電子メールの識別子の列を所属電子メール情報２３ｂから得ることにより得られる。得られた電子メールの識別子の列に含まれる電子メール識別子２２ｇによって識別される電子メールが、カレントフォルダに所属している電子メールである。
【００７４】
なお、電子メールを識別する情報とは、例えば、その電子メールの件名の冒頭の一部、送信発信日時及び送信者であるが、これに限るものではない。また、その電子メールのヘッダに送信者が含まれていない場合、そのヘッダに含まれる送信アドレスを検索キーにアドレス帳（図示せず）を検索し、そのアドレスに関連付けられて記憶された氏名を表示しても良い。
【００７５】
なお、表示部１５の表示画面の大きさの制約のため、電子メールを識別する情報の全てを一覧表示することができない場合、電子メール送受信部２１は、その一部を表示し、入力装置１６の所定のスクロールキー操作に従って、表示をスクロールする。また、この一覧表示の際の表示順は任意であるが、電子メール送受信部２１は、例えば、電子メールの発信日時が遅いもの（近い過去のもの。）を先に、早いもの（遠い過去のもの。）を後に表示する。
【００７６】
また、電子メールが所属するフォルダの数の順でも良い。より多くのフォルダに所属する電子メールを先に、より少ないフォルダに所属する電子メールを後に表示すれば、より多くの事項に関係する、より重要な電子メールが先に表示される。また、より少ないフォルダに所属する電子メールを先に、より多くのフォルダに所属する電子メールを後に表示すれば、他のフォルダに所属する電子メールの表示では表示されることが少ない、即ち、見逃しを避ける必要性がより高い電子メールが先に表示される。
【００７７】
続いて、電子メール送受信部２１は、入力装置１６の所定のキー操作、例えばスクロールキー操作に従って、表示された電子メールを識別する情報を選択し、その選択された電子メールを識別する情報によって識別される電子メールに対する入力装置１６の所定のキー操作による指示を入力する（ステップＳ１０７）。この識別された電子メールを、以後、対象電子メールと称する。ここで、電子メール送受信部２１は、対象電子メールを識別する情報を異なる表示形態によって、例えば、異なる背景色を施して表示する。
【００７８】
なお、対象電子メールは、１つの電子メールであるが、複数の電子メールであっても良い。複数の電子メールを対象電子メールとすることにより、電子メール送受信部２１は、例えば、複数の電子メールが所属するフォルダを一括して変更することができる。電子メールが所属するフォルダを変更する動作は、後述する。
【００７９】
電子メール送受信部２１は、対象電子メールに対して入力された指示を判断し（ステップＳ１０８）、その指示が削除であれば、対象電子メールを削除して（ステップＳ１０９）、ステップＳ１０６のカレントフォルダに所属している電子メールを識別する情報を表示部１５に一覧表示させる動作に移る。なお、ステップＳ１０９の対象電子メールを削除する動作については、後述する。
【００８０】
一方、入力された対象電子メールに対する指示が追加、即ち、対象電子メールをフォルダに新たに追加して所属させる指示であれば、電子メール送受信部２１は、対象電子メールをフォルダに追加所属させて（ステップＳ１１０）、ステップＳ１０６のカレントフォルダに所属している電子メールを識別する情報を表示部１５に一覧表示させる動作に移る。なお、ステップＳ１１０の対象電子メールを追加する動作については、後述する。
【００８１】
一方、入力された対象電子メールに対する指示が移動であれば、電子メール送受信部２１は、対象電子メールを移動して、即ち、対象電子メールが所属しているフォルダへの所属を削除し、かつ、所属していたフォルダとは異なるフォルダに所属させて（ステップＳ１１１）、ステップＳ１０６のカレントフォルダに所属している電子メールを識別する情報を表示部１５に一覧表示させる動作に移る。なお、ステップＳ１１１の対象電子メールを移動する動作については、後述する。
【００８２】
一方、入力された指示がフォルダの一覧表示であれば、電子メール送受信部２１は、ステップＳ１０２のフォルダ名称２３ｆを表示部１５に一覧表示させる動作に移る。なお、このステップＳ１０２の動作に移るには、再帰的呼び出し（Recursive call）によっても良い。また、この一覧表示の際、対象電子メールが所属するフォルダに限って表示させる。
【００８３】
この対象電子メールが所属するフォルダは、対象電子メールの電子メール識別子２２ｇを検索キーに電子メール管理情報２２ａを検索し、検索された所属フォルダ識別子列識別子２２ｅが指すフォルダ識別子列を所属フォルダ情報２２ｂから得ることによって得られる。そのフォルダ識別子列に含まれるフォルダ識別子２３ｅによって識別されるフォルダが、対象電子メールが所属するフォルダである。
【００８４】
なお、再帰的な呼び出しからの終了のために、電子メール送受信部２１は、入力装置１６の所定のキー操作に基づいて、ステップＳ１０２のフォルダ名称の表示処理からステップＳ１０６の電子メールを識別する情報の表示処理への復帰動作と、ステップＳ１０６の電子メールを識別する情報の表示処理からステップＳ１０２のフォルダ名称の表示処理への復帰動作を行う。（図示せず）。
【００８５】
なお、本実施形態では、電子メール送受信部２１は、動作開始後、まず、ステップＳ１０２のフォルダ名称の表示処理を行い、その後、所定の指示の入力によって、ステップＳ１０６の電子メールを識別する情報の表示処理を行うとしたが、これに限るものではない。まず、ステップＳ１０６の電子メールを識別する情報の表示処理を行い、その後、所定の指示の入力によって、ステップＳ１０２のフォルダ名称の表示処理を行っても良い。
【００８６】
まず、電子メールを識別する情報の表示を行う場合、電子メール送受信部２１は、フォルダ名称２３ｆが「全受信電子メール」であるフォルダに所属する電子メールを表示する。これによれば、全ての電子メールを容易に選択することができる。また、フォルダ名称２３ｆが「未分類受信電子メール」であるフォルダに所属する電子メールを表示する。これによれば、キーワードが含まれているか否かによって所属するフォルダに所属する電子メール、即ち、用件が判断されていない電子メールを容易に選択できる。
【００８７】
また、電子メール送受信部２１は、フォルダ名称２３ｆが入力装置１６の所定のキー操作によって設定されたフォルダに所属する電子メールを表示する。これによれば、所望の、例えば、至急に処理をすべき用件を含む電子メールを容易に選択できる。
【００８８】
図７に示す電子メールがフォルダに所属している状況の一例において、対象電子メールが選択された後、その電子メールのメール実体が電子メール実体３１である場合、ステップＳ１０２の動作によって表示部１５にフォルダの名称が表示された一例を図１１に示す。なお、図９を参照して説明した電子メール送受信部２１が動作を開始した直後に、ステップＳ１０２の動作によって行われる表示と同じ部分には、同じ符号を付して説明を省略する。
【００８９】
フォルダ名一覧１５ｂには、対象電子メールが所属するフォルダのフォルダ名称２３ｆである、「全受信電子メール」、「会社」、「重要」及び「Ａプロジェクト」が表示されている。
【００９０】
図８に示すフローチャートを参照した電子メール送受信部２１の動作説明に戻る。ステップＳ１０８で、入力された指示が対象電子メールの返信電子メールの送信であれば、電子メール送受信部２１は、対象電子メールの送信元アドレス、写しが送られたアドレス、及び入力装置１６の所定のキー操作によって入力されたアドレスへ電子メールを送信する（図示せず）。そして、ステップＳ１０６のカレントフォルダに所属している電子メールを識別する情報を表示部１５に一覧表示させる動作に移る（図示せず）。
【００９１】
また、入力された指示が対象電子メールの実体の表示であれば、電子メール送受信部２１は、対象電子メールの実体を表示部１５に表示させる（図示せず）。この電子メールの実体は、対象電子メールの電子メール識別子２２ｇを検索キーに電子メール管理情報２２ａを検索し、検索された電子メール実体識別子２２ｆが指すメール実体を電子メール実体２２ｃから得ることによって得られる。この際、併せて検索された未読情報２２ｈが「未読」であれば、「既読」に更新記憶させる。
【００９２】
電子メールの実体の表示の後、電子メール送受信部２１は、入力装置１６の所定のキー操作に基づいて、ステップＳ１０６のカレントフォルダに所属している電子メールを識別する情報を表示部１５に一覧表示させる動作、または、ステップＳ１０７の対象電子メールに対する入力装置１６の所定のキー操作による指示を入力する動作に戻る（図示せず）。
【００９３】
以上説明したように、ステップＳ１０２のフォルダ名称の表示処理と、ステップＳ１０６の電子メールを識別する情報の表示処理とは、再帰的であるか否かに係らず繰り返される。この繰り返しは、電子メール管理情報２２ａ及び所属フォルダ情報２２ｂを参照して、電子メールが所属しているフォルダが容易に得られることと、フォルダ管理情報２３ａ及び所属電子メール情報２３ｂを参照して、フォルダに所属している電子メールが容易に得られることによって可能となっている。
【００９４】
なお、電子メール送受信部２１は、いずれの動作ステップにあるかを問わず、入力装置１６の所定のキー操作に基づいて、電子メールを表示し、削除し、また、その電子メールが所属するフォルダを変更する動作を終了する（図示せず）。
【００９５】
次に、ステップＳ１０９の電子メール送受信部２１による電子メールを削除する動作を、第１の形態と、第２の形態を用いて説明する。図１２は、電子メール送受信部２１が電子メールを削除する動作の第１の形態のフローチャートを示す。電子メール送受信部２１は、対象電子メールを削除する動作を開始し（ステップＳ２０１）、対象電子メールが所属するフォルダ名を得る（ステップＳ２０２）。
【００９６】
このフォルダ名は、以下のように得られる。即ち、対象電子メールの識別子と電子メール識別子２２ｇとが等しい電子メール管理情報２２ａを検索し、検索された所属フォルダ識別子列識別子２２ｅによって、フォルダの識別子を得る。そして、得られたフォルダの識別子のそれぞれとフォルダ識別子２３ｅとが等しいフォルダ管理情報２３ａを検索し、検索されたフォルダ名称２３ｆによってフォルダ名が得られる。
【００９７】
電子メール送受信部２１は、得られたフォルダ名を表示部１５に表示し、表示されたフォルダ名の中から、入力装置１６の所定のキー操作によって１つまたは複数の対象電子メールを削除するフォルダ名を選択して入力する（ステップＳ２０３）。
【００９８】
なお、ステップＳ２０２の動作の結果、必ず「全受信電子メール」なるフォルダ名が得られる。しかし、このフォルダ名は、必ずしも表示することを要しない。なぜなら、既に説明したように、このフォルダは、全ての受信電子メールが所属するフォルダであって、このフォルダと対象電子メールとの間の所属関係を削除し、その他のフォルダと対象電子メールとの間の所属関係を保つことは考えられないからである。
【００９９】
そして、電子メール送受信部２１は、対象電子メールの選択されたフォルダへの所属を削除する（ステップＳ２０４）。この対象電子メールの選択されたフォルダへの所属を削除する動作は、以下のように電子メール記憶部２２に記憶された情報と、フォルダ記憶部２３に記憶された情報とを更新記憶させることにより行われる。即ち、選択されたフォルダ名とフォルダ名称２３ｆとが等しいことを検索キーにフォルダ管理情報２３ａを検索する。そして、検索された所属電子メール識別子列識別子２３ｄが指す電子メール識別子列から、対象電子メールの電子メール識別子２２ｇを削除する。
【０１００】
電子メール送受信部２１は、この削除の結果、対象電子メールは、フォルダ名称２３ｆが「全受信電子メール」であるフォルダにのみ所属する状態であるか否かを調べる（ステップＳ２０５）。そして、上記以外のフォルダにも所属している場合、動作を終了する（ステップＳ２０６）。一方、上記フォルダにのみ所属している場合、対象電子メールを削除して（ステップＳ２０７）、動作を終了する（ステップＳ２０６）。
【０１０１】
対象電子メールの削除は、以下のように電子メール記憶部２２に記憶された情報と、フォルダ記憶部２３に記憶された情報とを更新記憶させることにより行われる。即ち、対象電子メールのフォルダ名称２３ｆが「全受信電子メール」であるフォルダへの所属を削除する。更に、対象電子メールの電子メール識別子が電子メール識別子２２ｇに等しいことを条件に電子メール管理情報２２ａから検索し、得られた電子メールに関わる情報を削除する。併せて、得られた所属フォルダ識別子列識別子２２ｅが指す識別子の列と、得られた電子メール実体識別子２２ｆが指す電子メール実体とを削除する。
【０１０２】
なお、ステップＳ２０７で、対象電子メールの削除に先だって、削除の了解を得るメッセージまたは記号を表示部１５に表示し、了解が得られた場合、削除するとしても良い。また、削除された対象電子メールは、特定のフォルダ、例えば、フォルダ名称２３ｆが「ごみ箱」であるフォルダのみに所属されるとしても良い。このフォルダ名称２３ｆが「ごみ箱」であるフォルダのみに所属されている電子メールの削除の操作によって、その電子メールは削除される。
【０１０３】
図７に示す電子メールがフォルダに所属している状況において、ステップＳ２０３におけるフォルダ名の表示及び選択の際の表示部１５の表示と、その結果得られる電子メールがフォルダに所属している新たな状況とをいくつかの例を参照して説明する。
【０１０４】
図１３は、ステップＳ２０３におけるフォルダ名の表示及び入力の際の表示部１５の表示の第１の例を示す。表示部１５の上部には、「どのフォルダから削除？」なる操作指示１５ｃが表示されている。操作指示１５ｃには、「フォルダ名」なる表示が含まれ、フォルダ名が表示されるので、それぞれのフォルダから削除するか否かの入力操作を促している。
【０１０５】
表示部１５には、更に、「会社」、「重要」及び「Ａプロジェクト」なるフォルダ名一覧１５ｂが表示されている。そして、各フォルダ名に対応してチェックボックス１５ｄが表示されている。「全受信電子メール」なるフォルダ名は、表示される必要がない理由は、既に述べた通りである。
【０１０６】
入力装置１６の所定のキー操作、例えば、カーソル位置を上下させるキー操作と、決定キー操作によって、１つまたは複数のチェックボックス１５ｄは、肯定の入力に用いられる。あるチェックボックス１５ｄに肯定の入力がされ、その結果、そのチェックボックス１５ｄに「レ」字に類似した記号が合わせて表示されている状態で、入力装置１６の所定のキー操作がされると、そのチェックボックス１５ｄに対応するフォルダ名で識別されるフォルダと、対象電子メールの所属関係が削除される。
【０１０７】
図１３に示す例では、フォルダ名称２３ｆ「Ａプロジェクト」に対応するチェックボックス１５ｄに肯定の入力がされているので、対象電子メールと、フォルダ名称２３ｆが「Ａプロジェクト」であるフォルダとの所属関係は削除される。しかし、その他のフォルダと、対象電子メールとの所属関係は保たれる。また、フォルダ名称２３ｆが「Ａプロジェクト」であるフォルダは、そのフォルダに所属する電子メールの有無に係らず、削除されない。
【０１０８】
このような、対象電子メールと、特定のフォルダとの所属関係の削除は、対象電子メールが誤って適切でないフォルダに所属された場合、その所属関係を除くために有用である。この例では、対象電子メールは、Ａプロジェクトとは無関係であるが、フォルダ名称２３ｆが「Ａプロジェクト」であるフォルダに所属されていたことを是正することができる。
【０１０９】
図１４は、図１３に示す指示によって、対象電子メールと、フォルダ名称２３ｆが「Ａプロジェクト」であるフォルダとの所属関係が削除された後の、電子メールがフォルダに所属している状況を示す。上記の所属関係が削除されているが、フォルダ名称２３ｆが「Ａプロジェクト」であるフォルダ４４、及び対象電子メール（電子メール実体３１）は、存在する。
【０１１０】
なお、図１３で、全てのチェックボックス１５ｄに肯定の入力がされた場合、「全受信電子メール」を含む全てのフォルダ名で識別されるフォルダと、対象電子メールとの間の所属関係は削除される。更には、対象電子メールは削除される。
【０１１１】
図１５は、この全てのチェックボックス１５ｄに肯定の入力がされ、対象電子メールに関わる全ての所属関係が削除された後の電子メールがフォルダに所属している状況を示す。対象電子メール（電子メール実体３１）に関わる所属関係は削除され、かつ、対象電子メールは削除されている。しかし、フォルダ４１〜４４は、存在する。
【０１１２】
図１６は、ステップＳ２０３におけるフォルダ名の表示及び入力の際の表示部１５の表示の第２の例を示す。図１３を参照して説明した第１の例と同じ部分には、同じ符号を付して説明を省略する。図１６に示す第２の例では、図１３に示す第１の例と比較して、「全受信電子メール」なるフォルダ名が表示され、更に、このフォルダ名に対応してチェックボックス１５ｄが表示され、このチェックボックス１５ｄに肯定の入力がされている。
【０１１３】
「全受信電子メール」なるフォルダ名に対応したチェックボックス１５ｄにされた肯定の入力は、全てのフォルダ名で識別されるフォルダと、対象電子メールとの間の所属関係の削除と、更に、対象電子メールの削除を指示するために用いられる。即ち、図１６に示す例では、全てのフォルダ名で識別されるフォルダと、対象電子メールとの間の所属関係は削除される。更には、対象電子メールは削除される。即ち、「全受信電子メール」なるフォルダ名に対応したチェックボックス１５ｄに肯定の入力がされた後の電子メールがフォルダに所属している状況は、図１５を参照して説明した通りである。
【０１１４】
図１７は、ステップＳ２０３におけるフォルダ名の表示及び選択の際の表示部１５の表示の第３の例を示す。図１３を参照して説明した第１の例と同じ部分には、同じ符号を付して説明を省略する。図１７に示す第３の例では、図１３に示す第１の例と比較して、フォルダ名一覧１５ｂに「メール実体削除」なる文字が表示され、この文字に対応してチェックボックス１５ｄが表示され、このチェックボックス１５ｄに肯定の入力がされている。
【０１１５】
この「メール実体削除」なる文字に対応したチェックボックス１５ｄにされた肯定の入力は、全てのフォルダ名で識別されるフォルダと、対象電子メールとの間の所属関係の削除と、更に、対象電子メールの削除を指示するために用いられる。即ち、図１７に示す例では、全てのフォルダ名で識別されるフォルダと、対象電子メールとの間の所属関係は削除される。更には、対象電子メールは削除される。即ち、「メール実体削除」なる文字に対応したチェックボックス１５ｄに肯定の入力がされた後の電子メールがフォルダに所属している状況は、図１５を参照して説明した通りである。
【０１１６】
次に、ステップＳ１０９の電子メール送受信部２１による電子メールを削除する動作の第２の形態を説明する。図１８は、電子メール送受信部２１が電子メールを削除する動作の第２の形態のフローチャートを示す。ここで、図１２に示す第１の形態の動作ステップと同じ動作ステップには、同じ符号を付し説明を省略する。
【０１１７】
電子メール送受信部２１は、ステップＳ２０２の対象電子メールが所属するフォルダを得る動作の後、削除がカレントフォルダからの削除、即ち、対象電子メールと、カレントフォルダとの間の所属関係の削除か、対象電子メールのメール実体の削除であるかの選択を促すメッセージまたは記号を表示部１５に表示する。そして、その選択によって、上記いずれの削除であるかを入力する（ステップＳ２１１）。
【０１１８】
そして、いずれの削除であるかを判断し（ステップＳ２１２）、削除がカレントフォルダからの削除である場合、電子メール送受信部２１は、対象電子メールのカレントフォルダへの所属を削除して（ステップＳ２１３）、ステップＳ２０５の対象電子メールは、フォルダ名称２３ｆが「全受信電子メール」であるフォルダにのみ所属する状態であるか否かを調べる動作に移る。対象電子メールのカレントフォルダへの所属を削除する動作は、第１の形態のステップＳ２０４の動作であって、選択されたフォルダとして、カレントフォルダとすれば良い。
【０１１９】
一方、削除がメール実体の削除である場合、電子メール送受信部２１は、ステップＳ２０７の対象電子メールを削除する動作に移る。この第２の形態の動作によれば、所属関係を削除するフォルダを逐次入力する必要がなく、装置の使用者にとって、操作が容易である。
【０１２０】
なお、この第２の形態の変形として、電子メール送受信部２１は、ステップＳ２１１でいずれの削除であるかを入力することなく、常に対象電子メールと、カレントフォルダとの間の所属関係の削除であるとしても良い。このように変形することにより、電子メール送受信部２１の動作が少なくなり、また、装置の使用者の入力装置１６を用いた入力操作が不要となる。なお、対象電子メールと、カレントフォルダとの間の所属関係の削除をカレントフォルダを変更して続ければ、メール実体の削除に至ることは明らかであり、上記変形によって装置の機能が劣ることはない。
【０１２１】
図７に示す電子メールがフォルダに所属している状況において、ステップＳ２１１における削除がカレントフォルダからの削除か、対象電子メールのメール実体の削除であるかを入力する際の表示部１５の表示と、電子メールがフォルダに所属している状況とを例を参照して説明する。
【０１２２】
図１９は、ステップＳ２１１における削除がいずれの削除であるかを入力する際の表示部１５の表示の一例を示す。図１３を参照して説明した第１の形態の第１の例の表示と同じ部分には、同じ符号を付してある。表示部１５の上部には、「カレントフォルダからの削除？」及び「電子メール実体の削除？」なる操作指示１５ｃが表示されている。そして、「カレントフォルダ」と、「電子メール実体」なる２つの選択肢１５ｅが表示されている。そして、各選択肢１５ｅに対応してチェックボックス１５ｄが表示されている。なお、この２つのチェックボックス１５ｄは、いずれか一方のみが選択可能であり、ラジオボタンでも良い。
【０１２３】
図１９では、「カレントフォルダ」なる選択肢１５ｅに対応するチェックボックス１５ｄに肯定の入力がされているので、カレントフォルダと、対象電子メールとの間の所属関係が削除される。対象電子メールは削除されないものの、上記所属関係の削除の後、対象電子メールがフォルダ名称２３ｆが「全受信電子メール」であるフォルダにのみ所属していれば、対象電子メールは削除される。
【０１２４】
このように、「カレントフォルダ」なる選択肢１５ｅに対応するチェックボックス１５ｄに肯定の入力がされ、例えば、カレントフォルダのフォルダ名称２３ｆが「Ａプロジェクト」である場合、上述した削除後のフォルダと、対象電子メール（電子メール実体３１）との所属関係は、図１４に示した通りとなる。また、「電子メール削除」選択肢１５ｅに対応するチェックボックス１５ｄに肯定の入力がされた場合、対象電子メール（電子メール実体３１）は削除され、フォルダとの所属関係は、図１５に示した通りとなる。
【０１２５】
この電子メールを削除する動作の第２の形態によれば、装置の使用者による入力は、図１９に示すように２つの選択肢１５ｅから１つを選択するものであり、容易であることは明らかである。また、対象電子メールが所属するカレントフォルダを変更して、カレントフォルダからの削除を行うことによって、第１の形態と同じように、電子メールがフォルダに所属している任意の状況を作ることができる。
【０１２６】
次に、ステップＳ１１０の電子メール送受信部２１による電子メールを追加する動作を、説明する。図２０は、電子メール送受信部２１が電子メールを追加する動作のフローチャートを示す。電子メール送受信部２１は、対象電子メールを追加する動作を開始し（ステップＳ３０１）、対象電子メールが所属しないフォルダ名を得る（ステップＳ３０２）。
【０１２７】
対象電子メールが所属しないフォルダ名は、以下のように得られる。即ち、まず、全てのフォルダ名称２３ｆをフォルダ管理情報２３ａから求める。次に、図１２に示すフローチャートのステップＳ２０２の動作で説明したように、対象電子メールが所属するフォルダ名を求め、両者の差として得られる。
【０１２８】
電子メール送受信部２１は、得られたフォルダ名を表示部１５に表示し、表示されたフォルダ名の中から、入力装置１６の所定のキー操作によって１つまたは複数の対象電子メールを追加するフォルダ名を選択して入力する（ステップＳ３０３）。そして、入力されたフォルダ名で識別されるフォルダに対象電子メールを所属させ（ステップＳ３０４）、動作を終了する（ステップＳ３０５）。なお、ステップＳ３０３で、新たなフォルダを作成し、そのフォルダに対象電子メールを所属させても良い。この新たなフォルダのフォルダ名称２３ｆは、入力装置１６の所定のキー操作によって定められた情報である。
【０１２９】
入力された、または、新たに作成されたフォルダに対象電子メールを所属させる動作は、以下のように電子メール記憶部２２に記憶された情報と、フォルダ記憶部２３に記憶された情報とを更新記憶させることにより行われる。即ち、入力されたフォルダ名とフォルダ名称２３ｆとが等しいことを検索キーにフォルダ管理情報２３ａを検索する。そして、検索された所属電子メール識別子列識別子２３ｄが指す電子メール識別子列に、対象電子メールの電子メール識別子２２ｇを追加する。
【０１３０】
更に、対象電子メールの電子メール識別子２２ｇを検索キーに電子メール管理情報２２ａを検索し、得られた所属フォルダ識別子列識別子２２ｅが指すフォルダ識別子列に入力された、または、新たに作成されたフォルダのフォルダ識別子２３ｅを追加する。
【０１３１】
図７に示す電子メールがフォルダに所属している状況において、ステップＳ３０３におけるフォルダ名の表示及び選択の際の表示部１５の表示と、その結果得られる電子メールがフォルダに所属している新たな状況とを例を参照して説明する。
【０１３２】
図２１は、ステップＳ３０３におけるフォルダ名の表示及び入力の際の表示部１５の表示の例を示す。図１３を参照して説明した電子メール削除動作の第１の形態の第１の例と同じ部分には、同じ符号を付してある。表示部１５の上部には、「どのフォルダへ追加？」なる操作指示１５ｃが表示されている。操作指示１５ｃには、「フォルダ名」なる表示が含まれ、フォルダ名が表示されるので、追加するフォルダを表示されたフォルダ名のフォルダの中から選択するように促している。
【０１３３】
表示部１５には、更に、「予算」、「出張」、「Ｘ社」、「プライベート」及び「Ｂプロジェクト」なるフォルダ名一覧１５ｂが表示されている。そして、表示された各フォルダ名に対応してチェックボックス１５ｄが表示されている。また、フォルダ名一覧１５ｂの下部には、下向き矢印が表示されている。
【０１３４】
この下向き矢印によって、対象電子メールが所属しないフォルダは、フォルダ名が表示されたフォルダ以外にもあり、下向きのスクロールによって、表示されていないフォルダ名称２３ｆ（図５の示す例では、「未分類受信電子メール」。）、及び、新たにフォルダを作成する旨の選択肢が表示されることが示されている。下向き及び上向きのスクロールは、入力装置１６の所定のスクロールキーの操作による。
【０１３５】
図２１に示す例では、フォルダ名称２３ｆ「Ｘ社」に対応するチェックボックス１５ｄに肯定の入力がされているので、対象電子メールは、フォルダ名称２３ｆが「Ｘ社」であるフォルダに新たに所属される。図２２は、この新たな所属がされた際のフォルダと、対象電子メール（電子メール実体３１）との所属関係を示す。この所属関係は、図７に示す所属関係と比較して、対象電子メール（電子メール実体３１）と、フォルダ名称２３ｆが「Ｘ社」であるフォルダ４５との間の所属関係が追加されている。
【０１３６】
このように、対象電子メールを既に所属しているフォルダ以外のフォルダに所属させることは、その電子メールが適切なフォルダに所属していない場合、適切なフォルダに所属させて、適切な所属関係を保つために有用である。この例では、対象電子メールは、Ｘ社とは無関係であるとされ、フォルダ名称２３ｆが「Ｘ社」であるフォルダに所属されていなかったことを是正することができる。
【０１３７】
次に、ステップＳ１１１の電子メール送受信部２１による電子メールを移動する動作を、第１の形態の動作と、第２の形態の動作とによって説明する。図２３は、電子メール送受信部２１が電子メールを移動する第１の形態の動作のフローチャートを示す。この動作は、図１２を参照して説明した電子メールを削除する第１の形態の動作の一部と、図２０を参照して説明した電子メールを追加する動作の一部との組合せであり、同じ動作ステップには同じ符号を付して説明を省略する。
【０１３８】
電子メール送受信部２１は、電子メールを移動する動作を開始し（ステップＳ４０１）、対象電子メールを移動元のフォルダから削除する。この削除する動作は、図１２に示すフローチャートのステップＳ２０２〜ステップＳ２０４の、対象電子メールを、入力装置１６の操作によって選択、入力されたフォルダから削除する動作である。
【０１３９】
次に、電子メール送受信部２１は、対象電子メールを移動先のフォルダに所属させる。この所属させる動作は、図２０に示すフローチャートのステップＳ３０２〜ステップＳ３０４の、対象電子メールを、その電子メールが所属していないフォルダであって、入力装置１６の操作によって選択、入力されたフォルダに所属させる動作と同じである。そして、電子メール送受信部２１は、動作を終了する（ステップＳ４０２）。
【０１４０】
なお、上記のステップＳ２０２〜ステップＳ２０４の動作と、ステップＳ３０２〜ステップＳ３０４の動作とは独立であって、必ずしも上記説明の順に行われると限るものではない。例えば、ステップＳ２０２の動作と、ステップＳ３０２の動作とによって、対象電子メールが所属するフォルダと、所属しないフォルダとをまず求め、次に、ステップＳ２０３の動作と、ステップＳ３０３の動作とによって、それぞれから選択されたフォルダを得て、最後に、ステップＳ２０４の動作と、ステップＳ３０４の動作とによって、対象電子メールとフォルダとの所属関係を設定しても良い。
【０１４１】
図７に示す電子メールがフォルダに所属している状況において、ステップＳ３０３におけるフォルダ名の表示及び選択の際の表示部１５の表示と、その結果得られる電子メールがフォルダに所属している状況とをいくつかの例を参照して説明する。
【０１４２】
図２４は、第１の形態の動作における移動元のフォルダ名の表示と選択、入力の際の表示部１５の表示、及び、移動先のフォルダ名の表示と選択、入力の際の表示部１５の表示の第１の例を示し、図２４（ａ）は、ステップＳ２０３における移動元のフォルダ名の表示と選択、入力の際の表示部１５の表示を、図２４（ｂ）は、移動先のフォルダ名の表示と選択、入力の際の表示部１５の表示を示す。なお、図１３を参照して説明した対象電子メールをフォルダから削除する動作の第１の形態の第１の例の表示と同じ部分、及び、図２１を参照して説明した対象電子メールをフォルダに追加する動作の際の表示と同じ部分には、同じ符号を付してある。
【０１４３】
図２４（ａ）に示す移動元のフォルダ名の表示と選択の際、「どのフォルダから移動？」なる操作指示１５ｃが表示され、移動元のフォルダの選択が促されている。図２４（ａ）に示す例では、対象電子メールが所属しているフォルダのフォルダ名（既に説明したように、「全受信電子メール」なるフォルダ名は、除く。）である「会社」、「重要」及び「Ａプロジェクト」に対応するチェックボックス１５ｄの全てに肯定の入力がされている。
【０１４４】
図２４（ｂ）に示す移動先のフォルダ名の表示と選択、入力の際、「どのフォルダへ移動？」なる操作指示１５ｃが表示され、移動先のフォルダの選択が促されている。図２４（ｂ）に示す例では、対象電子メールが所属していないフォルダのフォルダ名の１つである「プライベート」に対応するチェックボックス１５ｄに肯定の入力がされている。
【０１４５】
図２４に示す、対象電子メール（電子メール実体３１）と、フォルダ名称２３ｆが「会社」、「重要」及び「Ａプロジェクト」であるフォルダとの所属関係が、フォルダ名称２３ｆが「プライベート」であるフォルダとの所属関係に移動された後の、対象電子メール（電子メール実体３１）とフォルダとの所属関係を図２５に示す。この所属関係は、図７に示す所属関係と比較して、対象電子メール（電子メール実体３１）は、「プライベート」であるフォルダ４６との間に所属関係が追加されている。しかし、フォルダ４２〜４４との間の所属関係は削除されている。
【０１４６】
この図２４に示すような、対象電子メールのその電子メールが所属している全てのフォルダ（「全受信電子メール」なるフォルダ名は、除く。）からの移動は、例えば、対象電子メールは、会社の業務に係わる電子メールと完全に誤って判断されていた場合、それを適切なフォルダに移動する際に有効である。
【０１４７】
図２６は、第１の形態の動作における移動元のフォルダ名の表示と選択、入力の際の表示部１５の表示、及び、移動先のフォルダ名の表示と選択、入力の際の表示部１５の表示の第２の例を示し、図２６（ａ）は、ステップＳ２０３における移動元のフォルダ名の表示と選択、入力の際の表示部１５の表示を、図２６（ｂ）は、移動先のフォルダ名の表示と選択、入力の際の表示部１５の表示を示す。なお、図２４を参照して説明した表示と同じ部分には、同じ符号を付して説明を省略する。
【０１４８】
図２６（ａ）に示す移動元のフォルダ名の表示と選択の際、対象電子メールが所属しているフォルダのフォルダ名の１つである「Ａプロジェクト」に対応するチェックボックス１５ｄに肯定の入力がされている。
【０１４９】
図２６（ｂ）に示す移動先のフォルダ名の表示と選択の際、対象電子メールが所属していないフォルダのフォルダ名の１つである「Ｂプロジェクト」に対応するチェックボックス１５ｄに肯定の入力がされている。
【０１５０】
図２６に示す、対象電子メール（電子メール実体３１）と、フォルダ名称２３ｆが「Ａプロジェクト」であるフォルダとの所属関係が、フォルダ名称２３ｆが「Ｂプロジェクト」であるフォルダとの所属関係に移動された後の、対象電子メール（電子メール実体３１）とフォルダとの所属関係を図２７に示す。この所属関係は、図７に示す所属関係と比較して、対象電子メール（電子メール実体３１）は、フォルダ名称２３ｆが「Ａプロジェクト」であるフォルダ４４との間の所属関係が削除され、一方、フォルダ名称２３ｆが「Ｂプロジェクト」であるフォルダ４７との間に所属関係が追加されている。
【０１５１】
この図２６に示すような、対象電子メールをその電子メールが所属している１つのフォルダから、その電子メールが所属していない１つのフォルダへの移動操作は、例えば、対象電子メールは、「会社」及び「重要」に係わる電子メールであることは正しく判断されていたが、判断の一部に誤りがあったため「Ａプロジェクト」に係わる電子メールとされていた場合、判断の一部の誤りを是正する際に有効である。
【０１５２】
図２８は、電子メール送受信部２１が電子メールを移動する第２の形態の動作のフローチャートを示す。この動作は、図２３を参照して説明した電子メールを移動する第１の形態の動作と類似しており、同じ動作ステップには同じ符号を付して説明を省略する。
【０１５３】
電子メール送受信部２１は、ステップＳ２０２の動作で対象電子メールが所属するフォルダを得た後、カレントフォルダからの移動であるか、対象電子メールが所属する全てのフォルダ（「全受信電子メール」なるフォルダ名は、除く。）からの移動であるかの選択を促す表示を表示部１５に表示させ、いずれか一方を入力装置１６の所定のキー操作によって選択して入力する（ステップＳ４１１）。そして、ステップＳ２０４の対象電子メールを入力された移動元フォルダから削除する動作に移る。
【０１５４】
図２９は、第２の形態の動作における移動元のフォルダ名の表示と選択、入力の際の表示部１５の表示を示す。表示部１５の上部には、「カレントフォルダから移動？」及び「全フォルダからの移動？」なる操作指示１５ｃが表示されている。また、「カレントフォルダ」及び「全フォルダ」なる選択肢１５ｅが表示され、「カレントフォルダ」及び「全フォルダ」に対応して、チェックボックス１５ｄが表示されている。なお、この２つのチェックボックス１５ｄは、いずれか一方のみが選択可能であり、ラジオボタンでも良いことは、図１９を参照して説明した通りである。
【０１５５】
この第２の形態の動作によれば、１つのフォルダ（カレントフォルダである。）から、別のフォルダへの移動、及び、全てのフォルダ（「全受信電子メール」なるフォルダ名のフォルダは除く。）からの移動が容易である。なぜなら、移動元のフォルダとして、多くのフォルダが表示されず、選択に要する操作が少ないからである。
【０１５６】
なお、カレントフォルダから別の１つ、または、複数のフォルダへの移動は、未分類受信電子メール、即ち、受信された後、適切なフォルダへの自動、または、入力装置１６からの指示による移動がされていない電子メールの移動にも有効である。即ち、カレントフォルダをフォルダ名称２３ｆが「未分類受信電子メール」であるフォルダとし、移動先のフォルダを適宜選択するとすれば良い。
【０１５７】
なお、この第２の形態の変形として、電子メール送受信部２１は、ステップＳ４１１でいずれの移動であるかを入力することなく、カレントフォルダからの移動であるとしても良い。このように変形することにより、電子メール送受信部２１の動作が少なくなり、また、装置の使用者の入力装置１６を用いた入力操作が不要となる。
【０１５８】
なお、カレントフォルダからの移動の後、ステップＳ２０２で得られた対象電子メールが所属するフォルダであって、カレントフォルダでないフォルダと、対象電子メールとの間の所属関係を適宜削除すれば、任意のフォルダからの移動と同じ所属関係が得られる。そこで、上記変形によって装置の機能が劣ることはない。
【０１５９】
以上の説明は、フォルダ管理情報２３ａの所属電子メール識別子列識別子２３ｄは、フォルダ識別子２３ｅによって識別されるフォルダに所属している電子メール識別子２２ｇの列を識別する情報であるとしたが、これに限るものではない。電子メール識別子２２ｇに加えて、フォルダ識別子２３ｅの列を識別する情報であっても良い。
【０１６０】
この構成によれば、１つのフォルダが他のフォルダに所属させることができ、フォルダの階層構造を作成することができる。この階層構造によって、電子メール送受信部２１が電子メールを表示する際のステップＳ１０２の動作で、上位の階層に属するフォルダのフォルダ名称２３ｆのみを表示することによって多数のフォルダ名称２３ｆを表示することがなく、表示部１５の表示画面のスクロール回数を減らし、より容易に所望の電子メールにアクセスすることができる。
【０１６１】
下位の階層に属するフォルダのフォルダ名称２３ｆは、ステップＳ１０６の電子メールを識別する情報を一覧表示させる際に、併せて表示され、ステップＳ１０７で選択される。選択されたフォルダは、ステップＳ１０３で選択されたフォルダと同様に扱う。
【０１６２】
また、あるフォルダに所属するフォルダは、複数のフォルダに所属するとしても良い。そして、フォルダへの所属を削除し、フォルダへ追加して所属させ、また、所属するフォルダを移動しても良いことは、上述した対象電子メールが所属するフォルダを変更することと同様に可能である。
【０１６３】
以上の説明は、電子メールが所属するフォルダの数は、電子メールが表示される順として用いられるとしたが、これに限るものではない。例えば、電子メール記憶部２２に割り当てられた記憶容量に限りがあり、電子メールの削除が避けられない場合、この数が少ないものから、または、多いものから、削除されるとしても良い。
【０１６４】
以上の説明は、本発明を移動通信端末装置に適用した例によって行った。しかし、本発明は、電子メールを管理するパソコンなどの全ての装置に適用することが当然に可能である。また、電子メール送受信部２１は、プログラムを利用して動作するコンピュータであっても良い。本発明は以上の構成に限定されるものではなく、種々の変形が可能である。
【図面の簡単な説明】
【０１６５】
【図１】本発明の実施形態に係る移動通信端末装置の構成を示すブロック図。
【図２】本発明の実施形態に係る電子メール管理情報の構成の一例を示す図。
【図３】本発明の実施形態に係る所属フォルダ情報の構成の一例を示す図。
【図４】本発明の実施形態に係る電子メール実体の構成の一例を示す図。
【図５】本発明の実施形態に係るフォルダ管理情報の構成の一例を示す図。
【図６】本発明の実施形態に係る所属電子メール情報の構成の一例を示す図。
【図７】本発明の実施形態に係る電子メールがフォルダに所属している状況を示す図（第１の例）。
【図８】本発明の実施形態に係る電子メール送受信部が電子メールを表示し、削除し、また、その電子メールが所属するフォルダを変更する動作のフローチャート。
【図９】本発明の実施形態に係る電子メール送受信部によるフォルダの名称の一覧表示の例を示す図（第１の例）。
【図１０】本発明の実施形態に係る電子メールがフォルダに所属している状況を示す図（第２の例、フォルダの削除後。）。
【図１１】本発明の実施形態に係る電子メール送受信部によるフォルダの名称の一覧表示の例を示す図（第２の例）。
【図１２】本発明の実施形態に係る電子メール送受信部が電子メールを削除する動作の第１の形態のフローチャート。
【図１３】本発明の実施形態に係る電子メール送受信部が電子メールを削除するフォルダを入力するための表示の例を示す図（第１の例）。
【図１４】本発明の実施形態に係る電子メールがフォルダに所属している状況を示す図（第３の例、所定のフォルダから電子メールを削除後。）。
【図１５】本発明の実施形態に係る電子メールがフォルダに所属している状況を示す図（第４の例、全てのフォルダから電子メールを削除後。）。
【図１６】本発明の実施形態に係る電子メール送受信部が電子メールを削除するフォルダを入力するための表示の例を示す図（第２の例）。
【図１７】本発明の実施形態に係る電子メール送受信部が電子メールを削除するフォルダを入力するための表示の例を示す図（第３の例）。
【図１８】本発明の実施形態に係る電子メール送受信部が電子メールを削除する動作の第２の形態のフローチャート。
【図１９】本発明の実施形態に係る電子メール送受信部が電子メールを削除する際、カレントフォルダからの削除か、電子メール実体の削除かを入力するための表示の例を示す図。
【図２０】本発明の実施形態に係る電子メール送受信部が電子メールを追加する動作のフローチャート。
【図２１】本発明の実施形態に係る電子メール送受信部が電子メールを追加するフォルダを入力するための表示の例を示す図。
【図２２】本発明の実施形態に係る電子メールがフォルダに所属している状況を示す図（第５の例、所定のフォルダに電子メールを追加後。）。
【図２３】本発明の実施形態に係る電子メール送受信部が電子メールを移動する第１の形態の動作のフローチャート。
【図２４】本発明の実施形態に係る電子メール送受信部が電子メールを移動際、移動元のフォルダ及び移動先のフォルダを入力するための表示の例を示す図（第１の例）。
【図２５】本発明の実施形態に係る電子メールがフォルダに所属している状況を示す図（第６の例、全てのフォルダから１つのフォルダに電子メールを移動後。）。
【図２６】本発明の実施形態に係る電子メール送受信部が電子メールを移動の際、移動元のフォルダ及び移動先のフォルダを入力するための表示の例を示す図（第２の例）。
【図２７】本発明の実施形態に係る電子メールがフォルダに所属している状況を示す図（第７の例、１つのフォルダから１つのフォルダに電子メールを移動後。）。
【図２８】本発明の実施形態に係る電子メール送受信部が電子メールを移動する第２の形態の動作のフローチャート。
【図２９】本発明の実施形態に係る電子メール送受信部が電子メールを移動の際、カレントフォルダからの移動か、全フォルダからの移動かを入力するための表示の例を示す図。
【符号の説明】
【０１６６】
１１  制御部
１５  表示部
１５ａ  標題
１５ｂ  フォルダ名一覧
１５ｃ  操作指示
１５ｄ  チェックボックス
１５ｅ  選択肢
１６  入力装置
２１  電子メール送受信部
２２  電子メール記憶部
２２ａ  電子メール管理情報
２２ｂ  所属フォルダ情報
２２ｃ  電子メール実体
２２ｄ  個別電子メール管理情報
２２ｅ  所属フォルダ識別子列識別子
２２ｆ  電子メール実体識別子
２２ｇ  電子メール識別子
２２ｈ  未読情報
２２ｉ  個別電子メールが所属するフォルダのフォルダ識別子列
２２ｊ  個別電子メールの電子メール実体
２３  フォルダ記憶部
２３ａ  フォルダ管理情報
２３ｂ  所属電子メール情報
２３ｃ  個別フォルダ管理情報
２３ｄ  所属電子メール識別子列識別子
２３ｅ  フォルダ識別子
２３ｆ  フォルダ名称
２３ｇ  個別フォルダに所属する電子メールの電子メール識別子列
【図１】
2009087078.tif 000003
【図２】
2009087078.tif 000004
【図３】
2009087078.tif 000005
【図４】
2009087078.tif 000006
【図５】
2009087078.tif 000007
【図６】
2009087078.tif 000008
【図７】
2009087078.tif 000009
【図８】
2009087078.tif 000010
【図９】
2009087078.tif 000011
【図１０】
2009087078.tif 000012
【図１１】
2009087078.tif 000013
【図１２】
2009087078.tif 000014
【図１３】
2009087078.tif 000015
【図１４】
2009087078.tif 000016
【図１５】
2009087078.tif 000017
【図１６】
2009087078.tif 000018
【図１７】
2009087078.tif 000019
【図１８】
2009087078.tif 000020
【図１９】
2009087078.tif 000021
【図２０】
2009087078.tif 000022
【図２１】
2009087078.tif 000023
【図２２】
2009087078.tif 000024
【図２３】
2009087078.tif 000025
【図２４】
2009087078.tif 000026
【図２５】
2009087078.tif 000027
【図２６】
2009087078.tif 000028
【図２７】
2009087078.tif 000029
【図２８】
2009087078.tif 000030
【図２９】
2009087078.tif 000031